【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
マイクロホンユニットの動作状態に応じて発光する光源からの光を導光するマイクロホン用導光体であって、
前記マイクロホン用導光体は、板状であり、
前記光が入射する入射面と、
前記入射面に入射した前記光を反射する反射面として機能する側面を有する溝と、
を有してなり、
前記反射面は、前記側面の一部により構成される、
ことを特徴とするマイクロホン用導光体。
【請求項２】
前記光の一部は、前記反射面を透過し、
前記反射面を透過した前記光が放射される放射面と、
前記反射面で反射された前記光を反射する再反射面として機能する内周面と、
前記内周面を形成する孔と、
を備え、
前記再反射面は、前記内周面の一部により構成され、
前記溝は、前記放射面と前記孔との間に配置され、
前記反射面は、前記入射面に入射した前記光を、前記孔に向けて反射する、
請求項１記載のマイクロホン用導光体。
【請求項３】
前記溝は、前記内周面に沿って配置される、
請求項２記載のマイクロホン用導光体。
【請求項４】
前記溝と前記放射面との距離は、前記溝のうち前記光源に最も近い部分が最も長い、
請求項２記載のマイクロホン用導光体。
【請求項５】
前記距離は、前記溝が前記光源から遠ざかるに連れて短くなる、
請求項４記載のマイクロホン用導光体。
【請求項６】
前記溝の深さは、前記溝のうち前記光源に最も近い部分が最も深い、
請求項２記載のマイクロホン用導光体。
【請求項７】
前記溝の幅は、前記溝のうち前記光源に最も近い部分が最も広い、
請求項２記載のマイクロホン用導光体。
【請求項８】
前記幅は、前記溝が前記光源から遠ざかるに連れて狭くなる、
請求項７記載のマイクロホン用導光体。
【請求項９】
前記マイクロホン用導光体は、円板状であり、
前記放射面は、外周面である、
請求項２記載のマイクロホン用導光体。
【請求項１０】
前記孔は、平面視中央に配置され、
前記入射面は、前記溝と前記孔との間に配置される、
請求項９記載のマイクロホン用導光体。
【請求項１１】
前記光源は、複数あり、
複数の前記光源ごとに配置される複数の前記入射面と、
複数の前記入射面ごとに配置される複数の前記溝と、
を備える、
請求項９記載のマイクロホン用導光体。
【請求項１２】
複数の前記入射面は、前記外周面の同心円上に等間隔に配置される、
請求項１１記載のマイクロホン用導光体。
【請求項１３】
前記入射面ごとの前記溝のうち、隣接する溝同士が連通する、
請求項１１記載のマイクロホン用導光体。
【請求項１４】
前記溝は、
第１方向に沿って配置される第１溝部と、
前記第１方向とは異なる第２方向に沿って配置される第２溝部と、
前記第１溝部と前記第２溝部とを連結する連結部と、
を含み、
前記入射面に入射した前記光は、前記連結部を介して、前記第１溝部と前記第２溝部とに導光される、
請求項１０記載のマイクロホン用導光体。
【請求項１５】
前記第１溝部の形状は、前記外周面の半径線に対して、前記第２溝部の形状と対称である、
請求項１４記載のマイクロホン用導光体。
【請求項１６】
前記反射面を透過した前記光を拡散させる拡散路、
を備え、
前記拡散路は、前記放射面と前記溝との間に配置される、
請求項３記載のマイクロホン用導光体。
【請求項１７】
前記拡散路は、底面視において、略おおぎ状である、
請求項１６記載のマイクロホン用導光体。
【請求項１８】
マイクロホンユニットと、
前記マイクロホンユニットの動作状態に応じて発光する光源と、
前記光源からの光が入射して放射面に導光する導光体と、
を有してなり、
前記導光体は、請求項１記載のマイクロホン用導光体である、
ことを特徴とするマイクロホン。
【請求項１９】
前記マイクロホンユニットを収容するケース、
を備え、
前記放射面は、前記ケースの外部に露出する、
請求項１８記載のマイクロホン。
【手続補正２】
【補正対象書類名】明細書
【補正対象項目名】０００４
【補正方法】変更
【補正の内容】
【０００４】
特許文献１に開示されたマイクロホンは、１つのマイクロホンユニットと、２つのＬＥＤと、Ｃ字状の導光材と、を有してなる。ＬＥＤからの光は、導光材の両端に配置された入射部から導光材内に入射されて、導光材内を導光される。導光材の厚みは、入射部から遠ざかるに連れて薄くなるように構成される。そのため、導光材内の光は、入射部から遠ざかるに連れて収束され、導光材の全体から均等な光量で放射される。その結果、導光材は、マイクロホンの周囲に向けて、マイクロホンユニットの動作状態を報知する。
【手続補正３】
【補正対象書類名】明細書
【補正対象項目名】０００９
【補正方法】変更
【補正の内容】
【０００９】
本発明は、以上のような従来技術の問題点を解消するためになされたもので、少ない光源からの光をマイクロホンの周囲に向けて均等な強度で放射することを目的とする。
【手続補正４】
【補正対象書類名】明細書
【補正対象項目名】００１２
【補正方法】変更
【補正の内容】
【００１２】
【図１】本発明にかかるマイクロホンの実施の形態を示す外観図である。
【図２】図１のマイクロホンが備えるヘッドケースが取り外された状態のマイクロホンの斜視図である。
【図３】図２のマイクロホンのＡ矢視図である。
【図４】図１のマイクロホンの図３のＢＢ線における断面図である。
【図５】本発明にかかるマイクロホン用導光体の斜視図である。
【図６】図５の導光体の底面図である。
【図７】図６の導光体のＣ矢視図である。
【図８】図６の導光体のＤＤ線における断面図である。
【図９】図６の導光体が備える第１導光領域のＤＤ線における拡大断面模式図である。
【図１０】図９の第１導光領域の図８のＥＥ線における拡大断面模式図である。
【図１１】図９の第１導光領域の図８のＥＥ線における別の拡大断面模式図である。
【図１２】図６の導光体により導光される光の強度を示す模式図である。
【図１３】図１のマイクロホンの動作の例を示す模式図である。
【図１４】本発明にかかるマイクロホン用導光体の別の実施の形態を示す模式図である。
【図１５】本発明にかかるマイクロホン用導光体のさらに別の実施の形態を示す模式図である。
【手続補正５】
【補正対象書類名】明細書
【補正対象項目名】００２０
【補正方法】変更
【補正の内容】
【００２０】
第１ハウジング２０は、支持部材６０と、回路基板７０と、発光部８０と、を収容する。第１ハウジング２０は、例えば、合成樹脂製である。第１ハウジング２０は、上下端に開口を有し、上端側から下端側に向かうに連れて急激に拡径する略円錐筒状である。
【手続補正６】
【補正対象書類名】明細書
【補正対象項目名】００２７
【補正方法】変更
【補正の内容】
【００２７】
回路基板７０は、発光部８０やマイクロホン１からの音声信号の処理に必要な電気回路を実装する。回路基板７０は、中央に円孔を有する円板状である。回路基板７０は、支持部材６０に収容されて、支持部材６０に固定される。
【手続補正７】
【補正対象書類名】明細書
【補正対象項目名】００３６
【補正方法】変更
【補正の内容】
【００３６】
各分孔９０ｈ２−９０ｈ５は、溝９５−９８と共に、後述する各導光路Ｌ１１−Ｌ４２の一部を形成する。各分孔９０ｈ２−９０ｈ５は、中央孔９０ｈ１よりも小径の円形で、中央孔９０ｈ１の周囲に、中央孔９０ｈ１の周方向に等角度間隔で配置される。各分孔９０ｈ２−９０ｈ５は、中央孔９０ｈ１と連通して、中央孔９０ｈ１と共に１つの孔を構成する。
【手続補正８】
【補正対象書類名】明細書
【補正対象項目名】００３８
【補正方法】変更
【補正の内容】
【００３８】
図７は、導光体９０の図６のＣ矢視図である。
図８は、導光体９０の図６のＤＤ線における断面図である。
【手続補正９】
【補正対象書類名】明細書
【補正対象項目名】００５１
【補正方法】変更
【補正の内容】
【００５１】
連結部９５ｃは、前述のとおり、第２反射面９１ｃに配置される。そのため、溝９５において、連結部９５ｃにおける溝９５の深さが最も深い。換言すれば、溝９５のうち、ＬＥＤ８１に最も近い部分における溝９５の深さが最も深い。ここで「深さ」は、溝９５の底面から溝９５に接する導光体９０の下面までの上下方向に沿う長さ（距離）である。
【手続補正１０】
【補正対象書類名】明細書
【補正対象項目名】００６０
【補正方法】変更
【補正の内容】
【００６０】
第１導光路Ｌ１１において、第１溝部９５ａの分孔９０ｈ２側の側面９５ａ１は、入射面９１ａに入射した光を反射する反射面として機能する。すなわち、反射面が、溝９５の側面の一部により構成される。
【手続補正１１】
【補正対象書類名】明細書
【補正対象項目名】００６１
【補正方法】変更
【補正の内容】
【００６１】
一方、第１導光路Ｌ１１において、導光体９０の内周面のうち、分孔９０ｈ２に対応する内周面９０ｈ２ａは、反射面（側面９５ａ１）で反射された光を反射する再反射面として機能する。すなわち、内周面９０ｈ２ａの一部は、再反射面として機能する。換言すれば、再反射面が、分孔９０ｈ２の内周面９０ｈ２ａの一部により構成される。
【手続補正１２】
【補正対象書類名】明細書
【補正対象項目名】００６３
【補正方法】変更
【補正の内容】
【００６３】
第２導光路Ｌ１２において、第２溝部９５ｂの分孔９０ｈ３側の側面９５ｂ１は、入射面９１ａに入射した光を反射する反射面として機能する。すなわち、反射面が、溝９５の側面の一部により構成される。
【手続補正１３】
【補正対象書類名】明細書
【補正対象項目名】００６４
【補正方法】変更
【補正の内容】
【００６４】
一方、第２導光路Ｌ１２において、導光体９０の内周面のうち、分孔９０ｈ３に対応する内周面９０ｈ３ａは、反射面（側面９５ｂ１）で反射された光を反射する再反射面として機能する。すなわち、内周面９０ｈ３ａの一部は、再反射面として機能する。換言すれば、再反射面が、分孔９０ｈ３の内周面９０ｈ３ａの一部により構成される。
【手続補正１４】
【補正対象書類名】明細書
【補正対象項目名】００７３
【補正方法】変更
【補正の内容】
【００７３】
●マイクロホン用導光体の動作
図６に戻る。
導光体９０は、ＬＥＤ８１−８４からの光を、第１導光領域Ｌ１，第２導光領域Ｌ２，第３導光領域Ｌ３，第４導光領域Ｌ４，を用いて、外周面９０ａに導光して、同外周面９０ａから略均等に放射する。第１導光領域Ｌ１と第２導光領域Ｌ２と第３導光領域Ｌ３と第４導光領域Ｌ４それぞれの動作は、光源とするＬＥＤ８１−８４が異なる点を除き、共通する。したがって、導光体９０の動作について、第１導光領域Ｌ１の動作を例に、以下説明する。
【手続補正１５】
【補正対象書類名】明細書
【補正対象項目名】００７５
【補正方法】変更
【補正の内容】
【００７５】
図１０は、図９の第１導光領域Ｌ１の図８のＥＥ線における拡大断面模式図である。
同図の二点鎖線は、ＬＥＤ８１を示す。同図は、ＬＥＤ８１からの光が第１導光路Ｌ１１内と第２導光路Ｌ１２内とを導光される様子を模式的に示す。
【手続補正１６】
【補正対象書類名】明細書
【補正対象項目名】００８２
【補正方法】変更
【補正の内容】
【００８２】
このように、第１導光路Ｌ１１に導光される光は、第１溝部９５ａの側面（反射面）９５ａ１と、内周面（再反射面）９０ｈ２ａと、により反射されながら第２拡散路Ｄ１２に導光される。このとき、第１導光路Ｌ１１に導光される光の強度は、第１導光路Ｌ１１内での光の拡散による内部損失や、第１導光路Ｌ１１からの放射などの影響により、ＬＥＤ８１から遠ざかるほど減衰する。
【手続補正１７】
【補正対象書類名】明細書
【補正対象項目名】００８３
【補正方法】変更
【補正の内容】
【００８３】
一方、第２導光路Ｌ１２に導光される光は、第２溝部９５ｂの側面（反射面）９５ｂ１と、内周面（再反射面）９０ｈ３ａと、により反射されながら第３拡散路Ｄ１３に導光される。このとき、第２導光路Ｌ１２に導光される光の強度は、第２導光路Ｌ１２内での光の拡散による内部損失や、第２導光路Ｌ１２からの放射などの影響により、ＬＥＤ８１から遠ざかるほど減衰する。
【手続補正１８】
【補正対象書類名】明細書
【補正対象項目名】００８５
【補正方法】変更
【補正の内容】
【００８５】
第２拡散路Ｄ１２に導光される光の一部は、外周面９０ａに加えて、第２拡散路Ｄ１２に接続する第４導光領域Ｌ４の第３拡散路Ｄ４３にも導光される。同様に、第３拡散路Ｄ１３に導光される光の一部は、外周面９０ａに加えて、第３拡散路Ｄ１３に接続する第２導光領域Ｌ２の第２拡散路Ｄ２２にも導光される。
【手続補正１９】
【補正対象書類名】明細書
【補正対象項目名】００８７
【補正方法】変更
【補正の内容】
【００８７】
図１１は、図９の第１導光領域Ｌ１の図８のＥＥ線における別の拡大断面模式図である。
同図の二点鎖線は、ＬＥＤ８１を示す。同図は、ＬＥＤ８１からの光の一部が反射面（側面９５ａ１，９５ｂ１）を透過して第１拡散路Ｄ１１内を導光される様子を模式的に示す。
【手続補正２０】
【補正対象書類名】明細書
【補正対象項目名】００８９
【補正方法】変更
【補正の内容】
【００８９】
ここで、溝９５は、光を反射すると共に、光が通過する領域であり、発光しない。したがって、側方（導光体９０の径方向）視において、外周面９０ａから見た溝９５は、暗い影として外周面９０ａに現れる。溝９５による影の暗さは、溝９５の幅と、溝９５と外周面９０ａとの距離と、に依存する。すなわち、溝９５の影の暗さは、溝９５の幅が広くなると暗くなり、溝９５と外周面９０ａとの距離が短くなると暗くなる。
【手続補正２１】
【補正対象書類名】明細書
【補正対象項目名】００９２
【補正方法】変更
【補正の内容】
【００９２】
このように、導光体９０は、各ＬＥＤ８１−８４に対応する各導光路Ｌ１１，Ｌ１２，Ｌ２１，Ｌ２２，Ｌ３１，Ｌ３２，Ｌ４１，Ｌ４２を、各ＬＥＤ８１−８４に対応する溝９５−９８と、分孔９０ｈ１−９０ｈ４と、により形成して、各ＬＥＤ８１−８４からの光を外周面９０ａから均等な強度で放射する。換言すれば、導光体９０は、各ＬＥＤ８１−８４に対応する溝９５−９８の形状や配置により、各第１拡散路Ｄ１１−Ｄ４１から外周面９０ａに導光される光の強度を調整する。その結果、導光体９０は、各ＬＥＤ８１−８４からの光を外周面９０ａ全体から均等な強度で放射可能である。
【手続補正２２】
【補正対象書類名】明細書
【補正対象項目名】００９５
【補正方法】変更
【補正の内容】
【００９５】
●まとめ
以上説明した実施の形態によれば、導光体９０は、板状で、入射面９１ａ−９４ａと溝９５−９８とを備える。入射面９１ａ−９４ａから入射した発光部８０からの光は、反射面である溝９５−９８の側面９５ａ１−９８ａ１，９５ｂ１−９８ｂ１（図６参照）に反射されて、導光体９０内を導光される。このように、溝９５−９８の側面９５ａ１−９８ａ１，９５ｂ１−９８ｂ１を反射面として機能させることにより、導光体９０は、溝９５−９８の形状や配置を調整することで、少ない発光部８０からの光を外周面９０ａから均等な強度で放射することができる。
【手続補正２３】
【補正対象書類名】明細書
【補正対象項目名】００９６
【補正方法】変更
【補正の内容】
【００９６】
また、導光体９０は、再反射面により内周面９０ｈ２ａ−９０ｈ５ａの一部が構成される分孔９０ｈ２−９０ｈ５を備える。そのため、導光体９０は、分孔９０ｈ２−９０ｈ５の形状や配置を調整することで、少ない発光部８０からの光を外周面９０ａに向けて導光することができる。
【手続補正２４】
【補正対象書類名】明細書
【補正対象項目名】０１１０
【補正方法】変更
【補正の内容】
【０１１０】
さらにまた、導光体は、板状であれば、円板状に限定されない。すなわち、例えば、導光体は、楕円板状や、矩形板状、多角形板状でもよい。
【手続補正２５】
【補正対象書類名】図面
【補正対象項目名】図３
【補正方法】変更
【補正の内容】
【図３】
2019201365.tif 000001
【手続補正２６】
【補正対象書類名】図面
【補正対象項目名】図６
【補正方法】変更
【補正の内容】
【図６】
2019201365.tif 000002
【手続補正２７】
【補正対象書類名】図面
【補正対象項目名】図８
【補正方法】変更
【補正の内容】
【図８】
2019201365.tif 000003
【手続補正２８】
【補正対象書類名】図面
【補正対象項目名】図１１
【補正方法】変更
【補正の内容】
【図１１】
2019201365.tif 000004